(57)【要約】【課題】装置が有するコンポーネント毎の電力を制御し、装置の消費電力を低減することを目的とする。【解決手段】複数のコンポーネントを有する画像形成装置であって、各コンポーネントにより実現される機能が実行可能か否かに基づいて、コンポーネントへの電力供給を行うか否かを判定する判定手段と、判定手段による判定結果に基づいて、各コンポーネントへの電力供給を制御する電力制御手段とを有する。【選択図】図１
2016025576.tif 000002
【特許請求の範囲】
【請求項１】
複数のコンポーネントを有する画像形成装置であって、
各コンポーネントにより実現される機能が実行可能か否かに基づいて、前記コンポーネントへの電力供給を行うか否かを判定する判定手段と、
前記判定手段による判定結果に基づいて、各コンポーネントへの電力供給を制御する電力制御手段と
を有することを特徴とする画像形成装置。
【請求項２】
前記コンポーネント毎に、前記コンポーネントに対応する前記機能が実行可能か否かに対応する停止条件を記憶する記憶手段をさらに有し、
前記判定手段は、前記コンポーネントが実行する前記機能の状態が前記停止条件を満たす場合に、前記電力供給を行わないと判定することを特徴とする請求項１に記載の画像形成装置。
【請求項３】
ユーザから、前記機能を実行可能とするか否かの設定指示を受け付ける受付手段と、
前記設定指示に基づいて、前記機能を実行可能又は実行不可能に設定する機能管理手段と
をさらに有することを特徴とする請求項１又は２に記載の画像形成装置。
【請求項４】
複数のコンポーネントを有する情報処理装置であって、
各コンポーネントにより実現される機能が実行可能か否かに基づいて、前記コンポーネントへの電力供給を行うか否かを判定する判定手段と、
前記判定手段による判定結果に基づいて、各コンポーネントへの電力供給を制御する電力制御手段と
を有することを特徴とする情報処理装置。
【請求項５】
複数のコンポーネントを有する情報処理システムであって、
各コンポーネントにより実現される機能が実行可能か否かに基づいて、前記コンポーネントへの電力供給を行うか否かを判定する判定手段と、
前記判定手段による判定結果に基づいて、各コンポーネントへの電力供給を制御する電力制御手段と
を有することを特徴とする情報処理システム。
【請求項６】
複数のコンポーネントを有する情報処理装置と、前記情報処理装置を管理する管理サーバ装置とを有する情報処理システムであって、
前記管理サーバ装置は、
各コンポーネントにより実現される機能が実行可能か否かに基づいて、前記コンポーネントへの電力供給を行うか否かを判定する判定手段と、
前記判定手段による判定結果に基づいて、前記コンポーネント毎に、電力供給を行うか否かを示す制御命令を生成する制御命令生成手段と、
前記制御命令を、前記コンポーネントを有する１以上の前記情報処理装置に送信する送信手段と
を有し、
前記情報処理装置は、
前記制御命令を受信する受信手段と、
前記制御命令に基づいて、各コンポーネントへの電力供給を制御する電力制御手段と
を有することを特徴とする情報処理システム。
【請求項７】
前記管理サーバ装置は、
ユーザから、前記機能を実行可能とするか否かの設定指示を受け付ける受付手段と、
前記設定指示に基づいて、前記機能を実行可能又は実行不可能に設定することを指示する設定命令生成手段と
をさらに有し、
前記送信手段は、前記設定命令を前記機能に対応する前記コンポーネントを有する１以上の前記情報処理装置に送信することを特徴とする請求項６に記載の情報処理システム。
【請求項８】
複数のコンポーネントを有する情報処理装置を管理する管理サーバ装置であって、
各コンポーネントにより実現される機能が実行可能か否かに基づいて、前記コンポーネントへの電力供給を行うか否かを判定する判定手段と、
前記判定手段による判定結果に基づいて、前記コンポーネント毎に、電力供給を行うか否かを示す制御命令を生成する制御命令生成手段と、
前記制御命令を、前記コンポーネントを有する１以上の前記情報処理装置に送信する送信手段と
を有することを特徴とする管理サーバ装置。
【請求項９】
複数のコンポーネントを有する画像形成装置が実行する情報処理方法であって、
各コンポーネントにより実現される機能が実行可能か否かに基づいて、前記コンポーネントへの電力供給を行うか否かを判定する判定ステップと、
前記判定ステップにおける判定結果に基づいて、各コンポーネントへの電力供給を制御する電力制御ステップと
を含むことを特徴とする情報処理方法。
【請求項１０】
複数のコンポーネントを有する情報処理装置が実行する情報処理方法であって、
各コンポーネントにより実現される機能が実行可能か否かに基づいて、前記コンポーネントへの電力供給を行うか否かを判定する判定ステップと、
前記判定ステップにおける判定結果に基づいて、各コンポーネントへの電力供給を制御する電力制御ステップと
を含むことを特徴とする情報処理方法。
【請求項１１】
複数のコンポーネントを有する情報処理装置を管理する管理サーバ装置が実行する情報処理方法であって、
各コンポーネントにより実現される機能が実行可能か否かに基づいて、前記コンポーネントへの電力供給を行うか否かを判定する判定ステップと、
前記判定ステップにおける判定結果に基づいて、前記コンポーネント毎に、電力供給を行うか否かを示す制御命令を生成する制御命令生成ステップと、
前記制御命令を、前記コンポーネントを有する１以上の前記情報処理装置に送信する送信ステップと
を含むことを特徴とする情報処理方法。
【請求項１２】
複数のコンポーネントを有する情報処理システムが実行する情報処理方法であって、
各コンポーネントにより実現される機能が実行可能か否かに基づいて、前記コンポーネントへの電力供給を行うか否かを判定する判定ステップと、
前記判定ステップにおける判定結果に基づいて、各コンポーネントへの電力供給を制御する電力制御ステップと
を含むことを特徴とする情報処理方法。
【請求項１３】
複数のコンポーネントを有する情報処理装置と、前記情報処理装置を管理する管理サーバ装置とを有する情報処理システムが実行する情報処理方法であって、
前記管理サーバ装置が、各コンポーネントにより実現される機能が実行可能か否かに基づいて、前記コンポーネントへの電力供給を行うか否かを判定する判定ステップと、
前記管理サーバ装置が、前記判定ステップにおける判定結果に基づいて、前記コンポーネント毎に、電力供給を行うか否かを示す制御命令を生成する制御命令生成ステップと、
前記管理サーバ装置が、前記制御命令を、前記コンポーネントを有する１以上の前記情報処理装置に送信する送信ステップと、
前記情報処理装置が、前記制御命令を受信する受信ステップと、
前記情報処理装置が、前記制御命令に基づいて、各コンポーネントへの電力供給を制御する電力制御ステップと
を含むことを特徴とする情報処理方法。
【請求項１４】
コンピュータに、請求項９乃至１１の何れか１項に記載の情報処理方法の各ステップを実行させるためのプログラム。
【発明の詳細な説明】
【技術分野】
【０００１】
本発明は、画像形成装置、情報処理方法及びプログラムに関する。
【背景技術】
【０００２】
近年、デジタル複合機等の多機能な画像形成装置において、消費電力を低減するためにプリンタやスキャナといった構成要素（コンポーネント）毎に電力供給を制御する機能が搭載されてきている。これにより例えば、画像形成装置がスリープ状態のときにユーザが印刷を指示した場合、スキャナはスリープ状態のままプリンタにだけ電力を供給することにより、消費電力を低減することができる。特許文献１には、画像形成装置にログインしたユーザの権限を参照し、そのユーザが使用する可能性のあるコンポーネントのみに電力を供給することにより、画像形成装置の消費電力を低減する技術が開示されている。
【０００３】
一方で、画像形成装置は、組織のセキュリティポリシーに基づき、機能の一部の利用が制限されることがある。例えば、公共の場所に設置している画像形成装置のネットワーク機能は無効にする、という利用形態が考えられる。このような場合に、ネットワーク機能をオフにするよう設定を強制し、特定のユーザ以外はその設定を変更できなくするような機能が有効であり、実際に近年の画像形成装置にも搭載が進められている。
【先行技術文献】
【特許文献】
【０００４】
【特許文献１】特開２０１０−７３０１８号公報
【発明の概要】
【発明が解決しようとする課題】
【０００５】
しかしながら、特許文献１の技術では、組織のセキュリティポリシーが考慮されていないため、ユーザの権限によっては、セキュリティポリシーにより利用が制限されているコンポーネントに電力が供給され、無駄な電力が消費されるという問題があった。
【０００６】
本発明はこのような問題点に鑑みなされたもので、装置が有するコンポーネント毎の電力を制御し、装置の消費電力を低減することを目的とする。
【課題を解決するための手段】
【０００７】
そこで、本発明は、複数のコンポーネントを有する画像形成装置であって、各コンポーネントにより実現される機能が実行可能か否かに基づいて、前記コンポーネントへの電力供給を行うか否かを判定する判定手段と、前記判定手段による判定結果に基づいて、各コンポーネントへの電力供給を制御する電力制御手段とを有することを特徴とする。
【発明の効果】
【０００８】
本発明によれば、装置が有するコンポーネント毎の電力を制御し、装置の消費電力を低減することができる。
【図面の簡単な説明】
【０００９】
【図１】第１の実施形態に係る画像形成システムを示す図である。
【図２】ＰＣ及び管理サーバ装置のハードウェア構成の一例を示す図である。
【図３】画像形成装置のハードウェア構成の一例を示す図である。
【図４】画像形成装置のソフトウェア構成の一例を示す図である。
【図５】セキュリティポリシー設定画面の一例を示す図である。
【図６】操作画面の一例を示す図である。
【図７】セキュリティポリシーテーブルの一例を示す図である。
【図８】停止条件テーブルの一例を示す図である。
【図９】電力制御処理を示すフローチャートである。
【図１０】第２の実施形態に係る画像形成装置のソフトウェア構成の一例を示す図である。
【図１１】第２の実施形態に係る管理サーバ装置のソフトウェア構成の一例を示す図である。
【図１２】デバイス管理テーブルの一例を示す図である。
【図１３】画像形成装置の各コンポーネントの動作状態の一例を示す図である。
【図１４】停止条件テーブルの一例を示す図である。
【図１５】管理サーバ装置による、電力制御処理を示すフローチャートである。
【図１６】セキュリティポリシーの設定命令の一例を示す図である。
【図１７】制御命令の一例を示す図である。
【図１８】画像形成装置による、電力制御処理を示すフローチャートである。
【発明を実施するための形態】
【００１０】
以下、本発明の実施形態について図面に基づいて説明する。
【００１１】
（第１の実施形態）
図１は、第１の実施形態に係る情報処理システムとしての画像形成システムを示す図である。画像形成システムは、ＰＣ１０１と、画像形成装置１０２と、管理サーバ装置１０３とを有している。ＰＣ１０１と、画像形成装置１０２と、管理サーバ装置１０３とは、ネットワーク１０４を介して接続している。なお、画像形成システムが有するＰＣ及び画像形成装置の数は、実施形態に限定されるものではない。画像形成システムは、複数のＰＣを有してもよい。また、画像形成システムは、複数の画像形成装置を有してもよい。
【００１２】
ＰＣ１０１は、管理サーバ装置１０３にアクセスして、画像形成装置１０２を管理する情報処理装置である。また、ＰＣ１０１は、プリンタドライバーを使用して、画像形成装置１０２に対して印刷やＦＡＸ送信等の各種ジョブを実行させることもできる。
【００１３】
画像形成装置１０２は、ユーザの操作に応じて印刷やコピー、スキャン、ＦＡＸ送受信等のジョブを実行する装置である。このような画像形成装置は、多機能であるため、ＭＦＰ（Ｍｕｌｔｉ  Ｆｕｎｃｔｉｏｎ  Ｐｒｉｎｔｅｒ）とも呼ばれる。画像形成装置１０２は、構成要素（コンポーネント）毎に電力供給を制御する機能を有する。コンポーネントとは、画像形成装置１０２を構成する個々のハードウェアであり、例えば操作パネルやＦＡＸボード、ＵＳＢボード、ネットワークボード等が該当する。また画像形成装置１０２は、設定に応じて特定の機能を利用できないようにする機能を有する。このような利用制限の設定を、セキュリティポリシーと称する。例えば、画像形成装置１０２に対して「ネットワーク機能を禁止する」というセキュリティポリシーを設定した場合、画像形成装置１０２は、メール送信機能やインターネットアクセス機能を実行することができなくなる。なお、画像形成装置１０２は、情報処理装置の一例である。
【００１４】
管理サーバ装置１０３は、ネットワーク１０４上のＰＣ１０１や画像形成装置１０２を管理する情報処理装置である。管理サーバ装置１０３は、画像形成システムが有するＰＣ及び画像形成装置を一元的に管理する。管理サーバ装置１０３は、具体的には、ＰＣ１０１や画像形成装置１０２からＩＰアドレス等の情報を取得したり、稼働状況を一覧表示したり、設定を変更したりする機能を提供する。なお、ネットワークの規模が大きい場合、画像形成システムは、複数の管理サーバ装置を有してもよい。
【００１５】
図２は、ＰＣ１０１及び管理サーバ装置１０３のハードウェア構成の一例を示す図である。ＰＣ１０１及び管理サーバ装置１０３はそれぞれ、ＣＰＵ２０１と、ＲＯＭ２０２と、ＲＡＭ２０３と、外部記憶装置２０４と、入力装置２０５と、表示装置２０６と、通信装置２０７とを有している。
【００１６】
ＣＰＵ２０１は、各種データ処理のための演算処理を行い、バス２０８に接続された各構成要素を制御する処理装置である。ＲＯＭ２０２は、データ読み出し専用のメモリであり、基本制御プログラムを格納している。ＲＡＭ２０３は、データ読み書き用のメモリであり、ＣＰＵ２０１の各種演算処理やデータの一時記憶用に用いられる。外部記憶装置２０４は、情報処理装置のオペレーティングシステム（ＯＳ）や各種アプリケーションプログラム実行中の一時データや、各種永続的データの記憶領域として用いられる。外部記憶装置２０４は、ＲＡＭ２０３に比べてデータの入出力は遅いが、大容量のデータを保持することが可能である。外部記憶装置２０４は、主に磁気記憶装置（ＨＤＤ）で構成されるが、ＣＤ、ＤＶＤ、メモリカードといった外部メディアを装填してデータの読み込みや記録を行う装置であってもよい。
【００１７】
入力装置２０５は、文字やデータを入力するための装置であり、各種のキーボードやマウス等が該当する。表示装置２０６は、処理結果を表示するための装置であり、ＣＲＴや液晶モニター等が該当する。通信装置２０７は、ＬＡＮに接続してＴＣＰ／ＩＰによるデータ通信を行い、他の情報処理装置と相互に通信を行う。
【００１８】
なお、後述するＰＣ１０１の機能や処理は、ＰＣ１０１のＣＰＵ２０１がＲＯＭ２０２又は外部記憶装置２０４に格納されているプログラムを読み出し、このプログラムを実行することにより実現されるものである。また、後述する管理サーバ装置１０３の機能や処理は、管理サーバ装置１０３のＣＰＵ２０１がＲＯＭ２０２又は外部記憶装置２０４に格納されているプログラムを読み出し、このプログラムを実行することにより実現されるものである。
【００１９】
図３は、画像形成装置１０２のハードウェア構成の一例を示す図である。画像形成装置１０２は、ＣＰＵ２０１と、ＲＯＭ２０２と、ＲＡＭ２０３と、外部記憶装置２０４と、通信装置２０７と、表示部３０１と、スキャナ部３０２と、プリンタ部３０３と、を有している。なお、図３において、ＰＣ１０１のハードウェア構成と同一のハードウェア構成には、同一の番号を付している。ここでは、画像形成装置１０２のハードウェア構成のうち、ＰＣ１０１のハードウェア構成と異なる構成について説明する。表示部３０１は、各種情報を表示する。本実施形態の表示部３０１は、タッチパネルであり、ユーザ操作を受け付けることができる。ユーザは、例えば表示部３０１に表示される画面を介してプリント指示等を行う。スキャナ部３０２は、紙文書をスキャンして画像データを取得する機能を有する。プリンタ部３０３は、紙等の記録媒体上に画像を印字する機能を有する。
【００２０】
図４は、画像形成装置１０２のソフトウェア構成の一例を示す図である。画像形成装置１０２は、送受信部４０１と、設定管理部４０２と、停止条件管理部４０３と、停止判定部４０４と、電力制御部４０５とを有している。送受信部４０１は、ネットワーク１０４を介して、ＰＣ１０１や管理サーバ装置１０３とのデータの送受信処理を行う。設定管理部４０２は、画像形成装置１０２の動作に関する各種設定を記憶装置に保存したり、読み出したりする。設定管理部４０２が管理する設定には、セキュリティポリシーも含まれる。
【００２１】
停止条件管理部４０３は、コンポーネント毎の停止条件を定義した停止条件テーブルを管理する。停止条件とは、コンポーネントの動作を停止させ、電力共有を停止するたための条件である。本実施形態においては、コンポーネントが実行する機能に対するセキュリティポリシーに関する条件が停止条件として設定されているものとする。ユーザは、セキュリティポリシーにおいて利用が制限されている機能については、セキュリティポリシーを解除しない限り、この機能を利用することができない。そこで、本実施形態においては、セキュリティポリシーが設定されている機能に対応するコンポーネントについては、動作を停止し、電力供給を停止することとする。なお、以下において、このように、セキュリティポリシーにより、機能を利用が制限され、電力供給を停止可能な電力状態を「停止状態」と称することとする。なお、これ以外の電力状態を通常状態と称することとする。
【００２２】
停止判定部４０４は、設定管理部４０２が管理しているセキュリティポリシーと、停止条件管理部４０３が管理している停止条件テーブルとに基づいて、各コンポーネントの電力状態を通常状態とするか停止状態とするかを判定する。電力制御部４０５は、コンポーネント毎の電力供給を管理する。
【００２３】
図５は、セキュリティポリシー設定画面５００の一例を示す図である。セキュリティポリシー設定画面５００は、画像形成装置１０２の表示部３０１に表示される。ユーザは、セキュリティポリシー設定画面５００において、画像形成装置１０２の有するコンポーネントにより実現される機能に対するセキュリティポリシーを設定することができる。図５に示す例においては、「ＦＡＸ送信を禁止する」、「ＦＡＸ受信を禁止する」、「ＵＳＢインターフェースの使用を禁止する」に対し、「有効」が設定されている。これに対応し、画像形成装置１０２は、ＦＡＸ機能、ＵＳＢインターフェースの機能に対し実行不可能と設定する。ユーザは、実行不可能と設定された機能を利用することができない。
【００２４】
なお、セキュリティポリシー設定画面５００は、ネットワーク１０４を介して、ＰＣ１０１や管理サーバ装置１０３に送信されてもよい。この場合、ＰＣ１０１又は管理サーバ装置１０３は、Ｗｅｂブラウザにより自装置の表示装置２０６にセキュリティポリシー設定画面５００を表示する。この場合、ユーザは、ＰＣ１０１又は管理サーバ装置１０３において、画像形成装置１０２の各機能に対応するセキュリティポリシーを設定することができる。
【００２５】
図６は、操作画面６００の一例を示す図である。図６（ａ）の操作画面６００は、図５に示すセキュリティポリシーが反映されたものである。すなわち、操作画面６００においては、「スキャンしてＦＡＸ送信」及び「ＵＳＢメモリ」のメニューアイコン６０１，６０２に対し、実行不可能であることを示すアイコン６１１，６１２が付与されている。この状態において、ユーザにより実行不可能なメニューアイコン６０１，６０２が選択された場合には、選択された機能を利用できない旨を通知する通知ダイアログが表示される。図６（ｂ）は、通知ダイアログ６２０の一例である。これにより、ユーザは、この機能を利用できないことを認識することができる。
【００２６】
図７は、セキュリティポリシーテーブル７００の一例を示す図である。セキュリティポリシーテーブル７００は、設定管理部４０２がセキュリティポリシーを管理するために参照するテーブルである。セキュリティポリシーテーブル７００は、例えば、画像形成装置１０２のＲＯＭ２０２等に記憶されているものとする。セキュリティポリシーテーブル７００は、セキュリティポリシーを識別するポリシーＩＤと、表示名と、値と、を対応付けて記憶している。値は、対応するセキュリティポリシーに有効が設定されていることを示す「ＴＲＵＥ」と、対応するセキュリティポリシーに無効が設定されていることを示す「ＦＡＬＳＥ」の２値のいずれかとなる。
【００２７】
図７に示すセキュリティポリシーテーブル７００は、図５に示すセキュリティポリシー設定画面５００の設定に対応している。すなわち、セキュリティポリシーテーブル７００においては、「ＦＡＸ送信を禁止する」、「ＦＡＸ受信を禁止する」、「ＵＳＢインサーフェースの使用を禁止する」の３つの項目に有効を示す「ＴＲＵＥ」が設定されている。
【００２８】
図８は、停止条件テーブル８００の一例を示す図である。停止条件テーブル８００は、停止条件管理部４０３が停止条件を管理するために参照するテーブルである。停止条件テーブル８００は、例えば、画像形成装置１０２のＲＯＭ２０２等に記憶されているものとする。停止条件テーブル８００は、コンポーネントＩＤと、コンポーネント名と、停止条件と、停止状態とを対応付けて記憶している。コンポーネントＩＤは、コンポーネントの識別情報である。コンポーネント名は、コンポーネントの名称である。停止条件は、対応するコンポーネントにより実現される機能のセキュリティポリシーの設定に関する条件である。停止状態は、停止条件を満たしているか否かを示す情報である。停止状態は、「ＴＲＵＥ」と「ＦＡＬＳＥ」の２値を取り、停止条件を満たしている場合には、停止状態には「ＴＲＵＥ」が書き込まれる。すなわち、停止状態に「ＴＲＵＥ」が書き込まれている場合には、対応するコンポーネントが電力供給を停止可能な状態にあることがわかる。
【００２９】
図８に示す停止条件テーブル８００においては、コンポーネントＩＤ「Ｃ０００１」、コンポーネント名「ＦＡＸボード」の停止条件に「Ｐ０００１」と「Ｐ０００２」が設定されている。これは、図７に示すポリシーＩＤ「Ｐ０００１」及び「Ｐ０００２」のいずれのセキュリティポリシーも有効であるという停止条件を意味する。図７のセキュリティポリシーテーブル７００の「Ｐ０００１」及び「Ｐ０００２」の値は、いずれも「ＴＲＵＥ」である。これに対応し、停止条件テーブル８００には、コンポーネントＩＤ「Ｃ０００１」に対応付けて、停止状態に「ＴＲＵＥ」が書き込まれている。
【００３０】
さらに、図７に示すセキュリティポリシーテーブル７００から、コンポーネントＩＤ「Ｃ０００３」、コンポーネント名「ＵＳＢボード」の停止状態は「ＴＲＵＥ」となる。一方で、コンポーネントＩＤ「Ｃ０００２」、コンポーネント名「操作パネル」の停止条件「Ｐ０００４」は、セキュリティポリシーテーブル７００において、値「ＦＡＬＳＥ」が書き込まれているため、停止状態は、「ＦＡＬＳＥ」となる。すなわち、停止条件管理部４０３は、各コンポーネントのコンポーネントＩＤに対応付けられている停止状態を参照することにより、コンポーネントへの電力供給を、停止可能か否かを判断することができる。
【００３１】
図９は、画像形成装置１０２による、電力制御処理を示すフローチャートである。電力制御処理は、画像形成装置１０２の起動時やユーザによりセキュリティポリシーの設定又は変更の要求を受け付けた場合に実行される。ユーザが、タッチパネルとしての表示部３０１に対し操作入力を行うことにより、セキュリティポリシーの設定を入力すると、Ｓ９０１において、設定管理部４０２は、ユーザからセキュリティポリシーの設定指示を受け付ける（受付処理）。なお、ユーザは、ＰＣ１０１や管理サーバ装置１０３からＷｅｂブラウザを用いて、セキュリティポリシーの設定を画像形成装置１０２に送信してもよい。
【００３２】
次に、Ｓ９０２において、設定管理部４０２は、Ｓ９０１において受け付けた設定指示に基づいて、セキュリティポリシーテーブル７００を更新する。具体的には、設定管理部４０２は、セキュリティポリシーテーブル７００において、設定指示において有効が設定されたセキュリティポリシーに対応する値に「ＴＲＵＥ」を設定する。さらに、設定管理部４０２は、各機能を実行可能又は実行不可能に設定する（機能管理処理）。なお、画像形成装置１０２は、実行可能が設定された機能については、ユーザの指示に従い、実行することができる一方で、実行不可能が設定された機能については、実行することができない。
【００３３】
次に、Ｓ９０３において、停止判定部４０４は、停止条件テーブル８００に登録されているすべてのコンポーネントに対し、停止判定処理が完了したか否かを確認する。停止判定部４０４は、未処理のコンポーネントが存在する場合には（Ｓ９０３でＮｏ）、処理をＳ９０４へ進める。停止判定部４０４は、すべてのコンポーネントに対する処理が完了した場合に（Ｓ９０３でＹｅｓ）、処理をＳ９０８へ進める。
【００３４】
Ｓ９０４において、停止判定部４０４は、未処理のコンポーネントから処理対象のコンポーネントを１つ選択する。次に、Ｓ９０５において、停止判定部４０４は、Ｓ９０１において受け付けた設定指示に応じて設定されたセキュリティポリシーが、停止条件テーブル８００に登録されている、処理対象のコンポーネントの停止条件を満たすか否かを判定する。停止判定部４０４は、停止条件を満たす場合には（Ｓ９０５でＹｅｓ）、処理をＳ９０６へ進める。停止判定部４０４は、停止条件を満たさない場合には（Ｓ９０５でＮｏ）、処理をＳ９０７へ進める。Ｓ９０６において、設定管理部４０２は、処理対象のコンポーネントの電力状態を停止状態とする。具体的には、設定管理部４０２は、停止条件テーブル８００において、処理対象のコンポーネントの停止状態に「ＴＲＵＥ」を設定する。一方、Ｓ９０７においては、設定管理部４０２は、処理対象のコンポーネントの電力状態を通常状態とする。具体的には、設定管理部４０２は、停止条件テーブル８００において、処理対象のコンポーネントの停止状態に「ＦＡＬＳＥ」を設定する。
【００３５】
次に、Ｓ９０８において、電力制御部４０５は、停止条件テーブル８００において、停止状態の値が「ＴＲＵＥ」のコンポーネントを検索する。そして、電力制御部４０５は、停止状態の値が「ＴＲＵＥ」のコンポーネントが存在する場合には、このコンポーネントへの電力供給を行わない。また、このコンポーネントへの電力供給が行われている場合には、電力制御部４０５は、これを停止する。こうして電力供給が停止されたコンポーネントへの電力供給は、対応するセキュリティポリシーが変更されない限り、再開されない。
【００３６】
次に、Ｓ９０９において、電力制御部４０５は、停止条件テーブル８００において、停止状態の値が「ＦＡＬＳＥ」のコンポーネントを検索する。そして、電力制御部４０５は、停止状態の値が「ＦＡＬＳＥ」のコンポーネントが存在する場合には、このコンポーネントへの電力供給を許可し、以降必要に応じて、このコンポーネントに対し電力を供給する。以上で、電力制御処理は終了する。
【００３７】
ここで、停止状態は、電力供給を停止可能な状態である。また、Ｓ９０６及びＳ９０７の処理は、コンポーネントにより実現される機能が実行可能か否かに基づいて、コンポーネントへの電力供給を行うか否かを判定する判定処理の一例である。また、Ｓ９０６及びＳ９０７の処理は、コンポーネントに対応する機能のセキュリティポリシー（機能の状態）が停止条件を満たす場合に、電力供給を行わないと判定する判定処理の一例である。さらに、Ｓ９０７及びＳ９０８の処理は、Ｓ９０６及びＳ９０７の判定処理における判定結果に基づいて、コンポーネントへの電力供給を制御する電力制御処理の一例である。
【００３８】
以上のように、第１の実施形態に係る画像形成システムにおいては、セキュリティポリシーの設定に基づいて、使用予定のないコンポーネントへの電力供給を停止する。これにより、画像形成装置１０２の消費電力を低減することができる。
【００３９】
（第２の実施形態）
第２の実施形態に係る画像形成システムでは、管理サーバ装置１０３が画像形成装置１０２のセキュリティポリシー及び電力供給の管理を行う。以下、第２の実施形態に係る画像形成システムについて、第１の実施形態に係る画像形成システムと異なる点について説明する。図１０は、第２の実施形態に係る画像形成装置１０２のソフトウェア構成の一例を示す図である。第２の実施形態に係る画像形成装置１０２は、停止条件管理部４０３及び停止判定部４０４を有さない。また、画像形成装置１０２は、命令解析部１００１をさらに有している。命令解析部１００１は、送受信部４０１が受信した電力制御命令や、設定管理部４０２が読み出した電力制御命令を解析し、電力制御部４０５に対して電力制御要求を指示する。電力制御命令は、具体的には、Ｔｈｅ  Ｐｒｉｎｔｅｒ  Ｗｏｒｋｉｎｇ  Ｇｒｏｕｐで標準化された規格である"ＰＷＧ  Ｉｍａｇｉｎｇ  Ｓｙｓｔｅｍ  Ｐｏｗｅｒ  ＭＩＢ"（以下、Ｐｏｗｅｒ  ＭＩＢと省略する）等のプロトコルである。
【００４０】
図１１は、第２の実施形態に係る管理サーバ装置１０３のソフトウェア構成の一例を示す図である。管理サーバ装置１０３は、送受信部１１０１と、設定管理部１１０２と、停止条件管理部１１０３と、停止判定部１１０４と、命令生成部１１０５と、デバイス管理部１１０６とを有している。送受信部１１０１は、ネットワーク１０４を介して、ＰＣ１０１や画像形成装置１０２とのデータの送受信処理を行う。設定管理部１１０２は、管理サーバ装置１０３の動作に関する各種設定を記憶装置に保存したり、読み出したりする。ユーザは、管理サーバ装置１０３の入力装置２０５を用いて管理サーバ装置１０３の動作に関する各種設定を変更することができる。ユーザはまた、ＰＣ１０１からＷｅｂブラウザを用いて管理サーバ装置１０３にアクセスし、各種設定を変更することができる。なお、設定管理部４０２は、図５に示すような画像形成装置のセキュリティポリシーの設定管理をも行う。
【００４１】
停止条件管理部１１０３は、停止条件テーブルを管理する。停止条件管理部１１０３は、画像形成システムが複数の画像形成装置を有する場合には、各画像形成装置に対応する停止条件テーブルを管理する。すなわち、停止条件管理部１１０３は、様々な機種、様々なファームウェアバージョンの画像形成装置についての停止条件テーブルを管理する。停止判定部１１０４は、設定管理部１１０２が管理するセキュリティポリシーと、停止条件管理部１１０３が管理する停止条件テーブルとに基づいて、各画像形成装置が有するコンポーネントそれぞれに対して、電力状態の判定を行う。
【００４２】
命令生成部１１０５は、停止判定部１１０４の判定結果に基づき、各画像形成装置に対して送信すべき電力の制御命令を生成する。デバイス管理部１１０６は、ネットワーク上の複数の画像形成装置の設定値や稼働状況等情報を管理する。ユーザが管理サーバ装置１０３にアクセスして各ＰＣや画像形成装置の設定を入力すると、管理サーバ装置１０３は各種設定をネットワーク１０４経由でＰＣや画像形成装置に送信し、設定を反映することができる。これにより、ユーザは管理サーバ装置１０３を用いることで、ネットワーク上の多数のＰＣや画像形成装置の設定や稼働状況を一元的に管理することができる。
【００４３】
図１２は、デバイス管理テーブル１２００の一例を示す図である。デバイス管理テーブル１２００は、デバイス管理部１１０６により管理される。デバイス管理テーブル１２００は、例えばＲＯＭ２０２等に記憶されているものとする。デバイス管理テーブル１２００には、画像形成システムが有する画像形成装置それぞれの稼働状況が記録されている。本実施形態においては、画像形成システムが、デバイスＡ、デバイスＢ、デバイスＣの３台の画像形成装置を有するものとする。これに対応し、図１２に示すデバイス管理テーブル１２００は、デバイスＡ、デバイスＢ、デバイスＣの３台の画像形成装置それぞれに対する稼働状況を記憶している。
【００４４】
デバイス管理テーブル１２００は、具体的には、デバイスＩＤと、コンポーネントＩＤと、動作状態とを対応付けて記憶している。これらの情報は、ＳＮＭＰ等の公知のプロトコルを用いて、画像形成装置の各コンポーネントの稼働状況が変更された場合に画像形成装置から管理サーバ装置１０３に送信されるものとする。また、他の例としては、これらの情報は、管理サーバ装置１０３が各画像形成装置に問い合わることにより、画像形成装置から取得してもよい。
【００４５】
図１３は、画像形成装置の各コンポーネントの動作状態の一例を示す図である。図１３に示す動作状態のうち、「Ｒｕｎｎｉｎｇ」、「Ｓｔａｎｄｂｙ」及び「Ｓｌｅｅｐ」は、コンポーネントに電力が供給されている状態である。すなわち、これらの動作状態においては、電力状態は通常状態である。ただし、動作状態により、電力量は異なる。一方、「Ｓｈｕｔｄｏｗｎ」、「Ｄｉｓａｂｌｅｄ」及び「Ｅｎａｂｌｅｄ」は、コンポーネントへの電力供給が行われていない状態である。すなわち、これらの動作状態においては、電力状態は停止状態である。
【００４６】
「Ｒｕｎｎｉｎｇ」は、コンポーネントが稼働している状態である。例えばＦＡＸボードであればＦＡＸデータの送受信中が該当する。「Ｓｔａｎｄｂｙ」は、コンポーネントが利用可能であるが、利用されていない状態である。例えばプリンタであれば、ドラム装置の温度が上がっていてすぐに印刷可能な状態が該当する。「Ｓｌｅｅｐ」は、コンポーネントを利用していないため電力供給を低く抑えている状態である。例えば操作パネルであれば、ライトを消灯して画面を非表示にしているが操作は受付可能な状態が該当する。「Ｓｈｕｔｄｏｗｎ」は、画像形成装置１０２の本体の電源がオフになっているか、画像形成装置１０２の本体の電源がオンでも所定の条件を満たして該コンポーネントへの電力供給が行われていない状態である。例えばプリンタであれば、一定時間印刷指示を受け付けなかった場合等が該当する。
【００４７】
「Ｄｉｓａｂｌｅｄ」は、セキュリティポリシーが設定されているためにコンポーネントが使用できない状態である。「Ｅｎａｂｌｅｄ」は、セキュリティポリシーが解除されたためにコンポーネントが使用可能な状態である。「Ｄｉｓａｂｌｅｄ」以外のすべての動作状態において、セキュリティポリシーが設定されると「Ｄｉｓａｂｌｅｄ」状態に遷移する。また、「Ｄｉｓａｂｌｅｄ」状態からは「Ｅｎａｂｌｅｄ」状態にしか遷移できない。すなわち、「Ｄｉｓａｂｌｅｄ」状態のコンポーネントに対して、そのコンポーネントを利用するために「Ｓｔａｎｂｙ」状態への遷移要求が発生したとしても、その要求は棄却される。
【００４８】
図１４は、停止条件テーブル１４００，１４１０，１４２０の一例を示す図である。停止条件テーブル１４００，１４１０，１４２０は、いずれもＲＯＭ２０２等の記憶部に記憶されているものとする。本実施形態に係る停止条件管理部１１０３は、デバイスＡ〜Ｃそれぞれに対応する停止条件テーブル１４００，１４１０，１４２０を管理する。なお、停止条件テーブル１４００，１４１０，１４２０の内容は、ユーザに設定画面等において変更することも可能である。
【００４９】
図１４に示すように、デバイス毎にコンポーネントや停止条件が異なっている。例えば、デバイスＡの停止条件テーブル１４００においては、ＵＳＢボードの停止条件は、「Ｐ０００５」のみである。これに対し、デバイスＢの停止条件テーブル１４１０においては、ＵＳＢボードの停止条件には、「Ｐ０００５」に加え、「Ｐ０００６」が設定されている。すなわち、セキュリティポリシー「Ｐ０００５」だけが有効となった場合には、デバイスＡではＵＳＢボードの電力状態が停止状態となる一方で、デバイスＢではＵＳＢボードの電力状態は通常状態となる。また、セキュリティポリシー「Ｐ０００５」と「Ｐ０００６」の両方が有効となった場合には、デバイスＡ及びデバイスＢの両方において、ＵＳＢボードの電力状態が停止状態となる。
【００５０】
また、デバイスＣの停止条件テーブル１４２０には、ＦＡＸボードの停止条件が設定されていない。これば、デバイスＣが操作パネルを搭載していないか、または、デバイスＣにおいては、操作パネルを停止状態に設定することができないことを意味している。
【００５１】
図１５は、管理サーバ装置１０３による、電力制御処理を示すフローチャートである。ユーザが、入力装置２０５を用いて、セキュリティポリシーの設定を入力し、このセキュリティポリシーの設定先の画像形成装置の指定を入力する。これに対応し、Ｓ１５０１において、デバイス管理部１１０６は、ユーザから、セキュリティポリシーの設定指示を受け付け、さらに、Ｓ１５０２において、デバイス管理部１１０６は、セキュリティポリシーの設定先の画像形成装置の指定を受け付ける。次に、Ｓ１５０３において、デバイス管理部１１０６は、Ｓ１５０２において指定を受け付けたすべての画像形成装置に対し、セキュリティポリシーの設定のための命令送信処理が完了したか否かを確認する。デバイス管理部１１０６は、未処理の画像形成装置が存在する場合には（Ｓ１５０３でＮｏ）、処理をＳ１５０４へ進める。デバイス管理部１１０６は、指定されたすべての画像形成装置に対する処理が完了している場合には（Ｓ１５０３でＹｅｓ）、電力制御処理を終了する。
【００５２】
Ｓ１５０４において、デバイス管理部１１０６は、未処理の画像形成装置の中から、処理対象の画像形成装置を１つ選択する。次に、Ｓ１５０５において、停止判定部１１０４は、処理対象の画像形成装置の停止条件テーブルを参照し、停止条件テーブルに定義のあるすべてのコンポーネントに対し、停止判定処理が完了したか否かを確認する。停止判定部１１０４は、未処理のコンポーネントが存在する場合には（Ｓ１５０５でＮｏ）、処理をＳ１５０６へ進める。停止判定部１１０４は、すべてのコンポーネントに対し、停止判定処理が完了している場合には（Ｓ１５０５Ｙｅｓ）、処理をＳ１５１１へ進める。
【００５３】
Ｓ１５０６において、停止判定部１１０４は、未処理のコンポーネントから処理対象のコンポーネントを１つ選択する。次に、Ｓ１５０７において、停止判定部１１０４は、Ｓ１５０１において受け付けた設定指示に係るセキュリティポリシーが処理対象のコンポーネントの停止条件を満たすか否か、すなわち、コンポーネントへの電力供給を行うか否かを判定する（判定処理）。停止判定部１１０４は、停止条件を満たす場合には（Ｓ１５０７でＹｅｓ）、処理をＳ１５０８へ進める。停止判定部４０４は、停止条件を満たさない場合には（Ｓ１５０７でＮｏ）、処理をＳ１５０９へ進める。Ｓ１５０８において、命令生成部１１０５は、処理対象の画像形成装置に対して、処理対象のコンポーネントの電力状態を停止状態に設定するよう要求する制御命令を生成し、処理をＳ１５０５へ進める。
【００５４】
一方、Ｓ１５０９において、デバイス管理部１１０６は、処理対象のコンポーネントの、Ｓ１５０９の処理時点における電力状態を確認する。デバイス管理部１１０６は、コンポーネントの電力状態が停止状態の場合は（Ｓ１５０９でＹｅｓ）、処理をＳ１５１０へ進める。デバイス管理部１１０６は、コンポーネントの電力状態が通常状態の場合には（Ｓ１５０９でＮｏ）、処理をＳ１５０５へ進める。Ｓ１５１０において、命令生成部１１０５は、処理対象の画像形成装置に対して、処理対象のコンポーネントの電力状態を通常状態に設定するよう要求する制御命令を生成し、処理をＳ１５０５へ進める。ここで、Ｓ１５０８及びＳ１５１０の処理は、制御命令生成処理の一例である。
【００５５】
また、Ｓ１５１１において、デバイス管理部１１０６は、Ｓ１５０１で受け付けたセキュリティポリシーの設定命令を生成する（設定命令生成処理）。そして、デバイス管理部１１０６は、設定命令と、Ｓ１５０８又はＳ１５１０において生成された制御命令と、を送受信部１１０１を介して処理対象の画像形成装置に送信し（送信処理）、その後処理をＳ１５０３へ進める。なお、Ｓ１５１１における送信先は、１以上の画像形成装置である。
【００５６】
図１６は、Ｓ１５１１において、管理サーバ装置１０３が、画像形成装置に送信するセキュリティポリシーの設定命令１６００の一例を示す図である。設定命令１６００において、各セキュリティポリシーのポリシーＩＤと、設定値とが対応付けられている。なお、設定値には、「ＴＲＵＥ」と「ＦＡＬＳＥ」のいずれかが設定されている。Ｓ１５０２において、デバイスＡ、デバイスＢ、デバイスＣの３台の画像形成装置が指定された場合には、３台の画像形成装置それぞれに対し、図１６に示すような設定命令１６００が送信される。
【００５７】
図１７は、Ｓ１５１１において、管理サーバ装置１０３が画像形成装置に送信する制御命令の一例を示す図である。図１７（ａ）に示す制御命令１７００は、画像形成装置としてのデバイスＡに送信する制御命令であり、図１７（ｂ）に示す制御命令１７１０は、画像形成装置としてのデバイスＢに送信する制御命令である。なお、図１７（ａ），（ｂ）に示す制御命令１７００，１７１０は、図１６に示すセキュリティポリシーのデバイスＡ，デバイスＢへの設定指示を受け付けた場合に生成される制御命令であり、図１２に示すデバイス管理テーブル１２００に対応している。制御命令には、ＳＮＭＰのような公知のプロトコルが用いられる。制御命令１７００，１７１０は、ＳＮＭＰのＳＥＴリクエストであり、指定したＯｉｄの値をＤｉｓａｂｌｅｄに設定するよう要求している制御命令である。本実施形態においては、Ｏｉｄを便宜上コンポーネントＩＤで表現するものとする。
【００５８】
デバイスＡに対しユーザにより指定されたセキュリティポリシーにおいて「Ｐ０００１」及び「Ｐ０００２」は、いずれも「ＴＲＵＥ」である。このため、命令生成部１１０５は、図１４（ａ）に示すデバイスＡの停止条件テーブル１４００に従って、コンポーネントＩＤ「Ｃ０００１」の電力状態を停止状態にするための制御命令１７００を生成する。具体的には、命令生成部１１０５は、図１７（ａ）に示すように、デバイスＡの「Ｃ０００１」の動作状態を「Ｄｉｓａｂｌｅｄ」に設定することを要求する制御命令１７００を生成する。なお、動作状態「Ｄｉｓａｂｌｅｄ」において、電力状態は、「停止状態」になる。すなわち、制御命令は、電力状態を「停止状態」に設定する命令でもある。
【００５９】
デバイスＢに対しユーザにより指定されたセキュリティポリシーにおいてコンポーネントＩＤ「Ｃ０００１」の停止条件はいずれも満たされている。このため、電力状態を停止状態とすることができる。一方で、コンポーネントＩＤ「Ｃ０００３」の停止条件のうち、「Ｐ０００５」及び「Ｐ０００６」に、「ＦＡＬＳＥ」が設定されていることから、コンポーネントＩＤ「Ｃ０００３」の停止条件は満たしていない。したがって、命令生成部１１０５は、コンポーネントＩＤ「Ｃ０００１」の電力状態を停止状態に設定し、コンポーネントＩＤ「Ｃ０００３」の電力状態を通常状態に設定することを要求する制御命令を生成する。具体的には、命令生成部１１０５は、図１７（ｂ）に示すように、デバイスＢの「Ｃ０００１」の動作状態を「Ｄｉｓａｂｌｅｄ」に設定し、「Ｃ０００３」の動作状態を「Ｅｎａｂｌｅｄ」に設定することを要求する制御命令１７１０を生成する。
【００６０】
なお、図１６に示すセキュリティポリシーのデバイスＡ，デバイスＢへの設定指示を受け付けた場合には、デバイスＣに対しては、コンポーネントＩＤ「Ｃ０００２」及び「Ｃ０００３」いずれの停止条件も満たしていない。このため、電力を停止可能なコンポーネントは存在しないので、命令生成部１１０５は、デバイスＣに送信する制御命令は生成しない。
【００６１】
図１８は、画像形成装置１０２による、電力制御処理を示すフローチャートである。画像形成装置１０２は、制御命令を受信すると電力制御処理を開始する。Ｓ１８０１において、送受信部４０１は、管理サーバ装置１０３からセキュリティポリシーの設定命令と制御命令を受信する（受信処理）。次に、Ｓ１８０２において、設定管理部４０２は、Ｓ１８０１において受け付けた設定命令に基づいて、セキュリティポリシーテーブル７００を更新する。次に、Ｓ１８０３において、命令解析部１００１は、Ｓ１８０１で受信した制御命令をすべて実行したか否かを確認する。具体的には、命令解析部１００１は、制御命令をすべて実行した場合には（Ｓ１８０３でＹｅｓ）処理をＳ９０８へ進める。なお、Ｓ９０８及びＳ９０９における処理は、図９を参照しつつ説明した、第１の実施形態に係る画像形成装置１０２によるＳ９０８及びＳ９０９の処理と同様である。命令解析部１００１は、未処理の制御命令がある場合には（Ｓ１８０３でＮｏ）、処理をＳ１８０４へ進める。なお、Ｓ１８０１において、セキュリティポリシーの設定命令のみを受信した場合には、実行すべき制御命令がないため、この場合にも、命令解析部１００１は、処理をＳ９０８へ進める。
【００６２】
Ｓ１８０４において、制御命令に係るコンポーネントから、処理対象のコンポーネントを１つ選択する。次に、Ｓ１８０５において、処理対象のコンポーネントに対する制御命令が、電力状態を停止状態に設定することを要求するものか否かを確認する。命令解析部１００１は、制御命令が停止状態に設定することを要求するものである場合には（Ｓ１８０５でＹｅｓ）、処理をＳ１８０６へ進める。命令解析部１００１は、制御命令が停止状態に設定することを要求するものでない場合には（Ｓ１８０５でＮｏ）、処理をＳ１８０８へ進める。
【００６３】
Ｓ１８０６において、設定管理部４０２は、処理対象のコンポーネントの電力状態を停止状態とする。次に、Ｓ１８０７において、設定管理部４０２は、処理対象のコンポーネントを電力制御の対象外に設定する。設定管理部４０２は、具体的には、まず処理対象のコンポーネントの動作状態を図１３に示す「Ｄｉｓａｂｌｅｄ」に変更する。また、Ｐｏｗｅｒ  ＭＩＢの例では、設定管理部４０２は、ｐｏｗＭｏｎｉｔｏｒＥｎｔｒｙから処理対象のコンポーネントのエントリを削除する。また、設定管理部４０２は、処理対象のコンポーネントに対するｐｏｗＥｖｅｎｔＥｎｔｒｙやｐｏｗＣａｌｅｎｄａｒＥｎｔｒｙが存在する場合にはそれらのステータスを無効（ｎｏｔＩｎＳｅｒｖｉｃｅ）に変更する。なお、コンポーネントの設定を後に戻す場合があるため、設定管理部４０２は、変更前のステータスを保持しておくものとする。以上の設定変更により、処理対象のコンポーネントに対するＳＮＭＰ等の制御命令を無効にすることができる。
【００６４】
一方、Ｓ１８０８においては、設定管理部４０２は、処理対象のコンポーネントの電力状態を通常状態とする。次に、Ｓ１８０９において、設定管理部４０２は、処理対象のコンポーネントを電力制御の対象に設定する。設定管理部４０２は、具体的には、まず動作状態を図１３に示す「Ｅｎａｂｌｅｄ」に変更する。ただし図１３に示す通り、実際には状態が「Ｄｉｓａｂｌｅｄ」である場合にしか「Ｅｎａｂｌｅｄ」状態には遷移しない。また、Ｐｏｗｅｒ  ＭＩＢの例では、設定管理部４０２は、ｐｏｗＭｏｎｉｔｏｒＥｎｔｒｙから処理対象のコンポーネントのエントリを追加する。さらに、設定管理部４０２は、処理対象のコンポーネントに対するｐｏｗＥｖｅｎｔＥｎｔｒｙやｐｏｗＣａｌｅｎｄａｒＥｎｔｒｙが存在する場合にはそれらのステータスを、設定管理部４０２に保持している情報に従って復元する。これらの設定変更により、処理対象のコンポーネントに対するＳＮＭＰ等の制御命令を有効にすることができる。なお、第２の実施形態に係る画像形成システムのこれ以外の構成及び処理は、第１の実施形態に係る画像形成システムの構成及び処理と同様である。
【００６５】
以上のように、第２の実施形態に係る画像形成システムにおいては、管理サーバ装置１０３は、画像形成装置１０２に対し、セキュリティポリシーの設定命令と電力の制御命令とを合わせて配信する。これにより、画像形成装置１０２では、電力制御の判定を行う必要が無くなり、画像形成装置１０２の処理量を低減できる。また、停止条件テーブルの更新が容易になるので、画像形成装置１０２の電力をより柔軟に制御することができる。
【００６６】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００６７】
以上、上述した各実施形態によれば、装置が有するコンポーネント毎の電力を制御し、装置の消費電力を低減することができる。
【００６８】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００６９】
１０１  ＰＣ
１０２  画像形成装置
１０３  管理サーバ装置
２０１  ＣＰＵ
２０２  ＲＯＭ
２０３  ＲＡＭ
２０４  外部記憶装置
【図１】
2016025576.tif 000003
【図２】
2016025576.tif 000004
【図３】
2016025576.tif 000005
【図４】
2016025576.tif 000006
【図５】
2016025576.tif 000007
【図６】
2016025576.tif 000008
【図７】
2016025576.tif 000009
【図８】
2016025576.tif 000010
【図９】
2016025576.tif 000011
【図１０】
2016025576.tif 000012
【図１１】
2016025576.tif 000013
【図１２】
2016025576.tif 000014
【図１３】
2016025576.tif 000015
【図１４】
2016025576.tif 000016
【図１５】
2016025576.tif 000017
【図１６】
2016025576.tif 000018
【図１７】
2016025576.tif 000019
【図１８】
2016025576.tif 000020